(57)【要約】【課題】  パネルを容易に交換できるようにする。【解決手段】  門扉本体１は、対向する縦枠２と、両縦枠の前面にかつその長さ方向に形成してある保持溝３ａを有する保持枠３と、両保持体間に保持溝を介して上下動可能に保持されている３枚のパネル４ａ，４ｂ，４ｃとを具備しており、保持枠は平面Ｌ形に形成されており、各パネルは上下方向に並んで配置され、上段及び下段のパネル４ａ，４ｃはＦ形の止め具７，１０で仮止めされており、中段のパネル４ｂは、ほぼＨ形の止め具８，９によって上段のパネル４ａ及び下段のパネル４ｃの間で挟まれるような状態で仮止めされている。【選択図】        図１
0003126975.tif 000002
【実用新案登録請求の範囲】
【請求項１】
門扉本体は、対向する縦枠と、両縦枠にその長さ方向に形成してある保持溝を有する保持体と、両保持体間に上記保持溝を介して上下動可能に保持されている複数のパネルとを具備しており、
上記対向する縦枠の間には上下方向に複数の横枠を配置して両縦枠の間隔を維持し、各横枠の両端部が上記縦枠の中空部内に差し込まれて縦枠に固定されており、
上記保持体は、両縦枠の前面に配置されており、
上記各パネルは上下方向に並んで配置されていると共に、各パネルの長さ方向の両端側がパネルを仮止めする止め具によって位置保持されており、
上記止め具は、上記パネルの端部を位置保持する位置保持溝を有している
ことを特徴とする仮設パネル門扉。
【請求項２】
横枠の配置数は４本であり、上記保持体は平面Ｌ形の保持枠であり、パネルの数は上下方向に３枚であり、最上段及び最下段の各パネルを支える止め具はＦ形に形成され、かつ前立ち上がり部がパネルの端部前面を被覆するカバー部となっていると共に、最上段及び最下段に位置している横枠に固定されており、最上段のパネルとこのパネルに下方で隣接しているパネルとの突合せ部分の間に配置されかつ隣接するパネルを支える止め具はほぼＨ形に形成されていると共に前立ち上がり部がパネルの端部前面を被覆するカバー部となっており、最下段のパネルとこのパネルに上方で隣接しているパネルとの突合せ部分の間に配置されかつ隣接するパネルを支える止め具はほぼＨ形に形成されていると共に前立ち上がり部がパネルの端部前面を被覆するカバー部となっており、上記Ｈ形に形成されている両止め具の後立ち上がり部の両端部が上記保持枠の保持溝内に挿入されていることを特徴とする請求項１記載の仮設パネル門扉。
【考案の詳細な説明】
【技術分野】
【０００１】
本考案は、建設工事現場などに用いられる仮設パネル門扉に関するものである。
【背景技術】
【０００２】
従来より、建設現場では危険防止などの必要から施工対象物の周りに仮囲い（鉄板など）を設置していることは周知のとおりである（実開昭６３−１５２８９９号公報）。仮囲いには作業現場の入口に当たる位置に、引き戸式、扉式などの仮設パネル門扉が設けられている。門扉本体は、枠体と、枠体内に上下方向に配置したパネルとからなるものである。門扉本体の耐久性を持たせるために、枠体の骨組や各パネルはしっかりと保持されると共に、パネルは枠体にねじなどの固定部材で強固に固定されている。
【特許文献１】実開昭６３−１５２８９９号公報
【考案の開示】
【考案が解決しようとする課題】
【０００３】
門扉は、作業が終了すれば、現場から撤去されて例えば機材センターに戻される。戻されてから、再使用のために、パネルの傷や凹み、穴明きなどのあるパネルは新しいものと交換している。
しかしながら、パネルは枠体に強固に固定されているために、まず、枠体の一部を解体してから、各パネルの固定を解いて外すので、パネルの交換作業には時間と手間が非常にかかっているのが実情である。
本考案の目的はパネルを容易に交換できるようにすることにある。
【課題を解決するための手段】
【０００４】
本考案の特徴は、門扉本体が、対向する縦枠と、両縦枠にその長さ方向に形成してある保持溝を有する保持体と、両保持体間に保持溝を介して上下動可能に保持されている複数のパネルとを具備していることにあり、各パネルは上下方向に並んで配置されている。
上記縦枠に対する保持体の配置位置として、例えば縦枠の前面にすることにより、パネルの取付け取外しが容易となると共に、保持体の構成が簡単になる。上記保持体の形状として、平面Ｌ形の保持枠とすれば、保持体の構成が簡単となる。上記門扉本体の長さ方向の両端側にパネルを仮止めする止め具を設けることにより、パネルを確実に位置保持でき、各止め具がパネルの端部を位置保持する位置保持溝を有すれば、より一層位置保持が確実になり、パネルの取付け状態が安定する。パネルの取付け外観を良くするために、止め具にパネルの端部を被覆するカバー部を設けておくことが良い。
【考案の効果】
【０００５】
本考案によれば、パネルを保持体の保持溝を介して上下動可能に保持しているので、パネルの交換作業が従来例に比較して容易である。
【考案を実施するための最良の形態】
【０００６】
図１及び図２に示す本考案の仮設パネル門扉は、対の門扉本体１，１間をヒンジ（図示せず。）によって結合したものを、複数組連結して折畳み可能とした引き戸方式となっているものである。各門扉本体１，１は、それぞれ対向する縦枠２と、両縦枠にその長さ方向に設けてある保持体である保持枠３と、両保持枠間に上下動可能（門扉本体の長さ方向に移動可能）に保持されている複数のパネル４（４ａ，４ｂ，４ｃ）とからなる。
対向する縦枠２の間には、図２の例によれば、上下方向に４本の横枠５を配置して両縦枠の間隔を維持している。各横枠５の両端部は図４及び図７に示すように縦枠２の中空部２ａに差し込まれており、縦枠にねじ６で固定されている。
図３乃至図６において、各保持枠３は、それぞれの縦枠２の前面に設けられており、例えばアルミ押出し成形によって縦枠と一体に設けられている。もちろん、縦枠２と保持枠３とは別部材によって形成し、連結部材によって相互に結合しても良い。各保持枠３は、平面Ｌ字形に形成されており、内部に保持溝３ａが形成されている。両保持枠３の保持溝３ａは図４に示すように互いに対向しており、保持溝間で複数のパネル４（４ａ，４ｂ，４ｃ）を上下動可能に保持している。
各門扉本体１，１のパネル４において、図１及び図２の例では３枚のパネル４ａ，４ｂ，４ｃが上下方向にそれぞれ配置され、仮止め手段である止め具７，８，９，１０で位置保持されている。
図５及び図６に示すように、最上段のパネル４ａ及び最下段のパネル４ｃを支える止め具７，１０はいずれも「Ｆ」形に形成されている。支える止め具７，１０はパネル４ａ，４ｃの端部が挿入可能である位置保持溝７ａ，１０ａを有し、前立ち上がり部７ｂ，１０ｂでパネル４ａ，４ｃの端部前面を被覆するカバー部となっている。支える止め具７，１０の水平部に止め孔７ｃ，１０ｃを開けてある。支える止め具７，１０は、止め孔７ｃ，１０ｃを通じて最上段及び最下段に位置している横枠５のねじ孔５ａ（図３）にねじ９で固定される。また止め具８，９において、一方の止め具８はパネル４ａとパネル４ｂとの突合せ部分の間に配置され、また他方の止め具９はパネル４ｂとパネル４ｃとの突合せ部分の間に配置されている。止め具８，９はいずれもほぼ「Ｈ」形に形成されている。支える止め具８，９はパネル４ｂ，４ｃの端部が挿入可能である位置保持溝８ａ，９ａを有し、前立ち上がり部８ｂ，９ｂでパネル４ｂ，４ｃの端部前面を被覆するカバー部となっている。支える止め具８，９の後立ち上がり部８ｃ，９ｃの両端部は保持枠３の保持溝３ａ内に挿入される（図６及び図８参照）。
図３において、縦枠２の片側には複数のリング状のホルダ１２を間隔を置いて配置してある。これらのホルダ１２は、門扉本体１と隣接している門扉本体のホルダ（図示せず。）と連結可能である。
【０００７】
次にパネルの交換作業について説明する。
例えば図１に示す左側に位置している門扉本体１の最上段のパネル４ａが損傷しており、これを交換する場合には、通常、機材センターでは門扉本体１が図１の位置から９０度回転させて横にしてあるので、パネル４ａ又は４ｃのいずれか一方を仮止めしている止め具７又は止め具１０のねじ１１による固定を外す。例えばパネル４ａの場合にはこのパネルを持って、保持溝３ａを案内レールとしてスライドしながら門扉本体１から抜取り、その後、新たなパネルの端部を門扉本体１の保持枠３の保持溝３ａの開口端に突き合わせてからパネル４ｂに向けて押し込めば、このパネルは保持溝３ａによって案内されてパネル４ｂを位置保持している止め具８の位置保持溝８ａに当たり、所定位置に納まるから、再び止め具７で新たなパネルを固定することにより、交換作業が終了する。
また中間のパネル４ｂを交換する場合には、止め具７又は止め具１０いずれか一方、例えば止め具１０をし、パネル４ｃの固定を解いてからまずパネル４ｃを門扉本体１から引き抜き、ついで止め具９を保持溝３ａを案内レールとしてスライドしながら門扉本体１から抜取り、その後、パネル４ｂも止め具９と同様にして抜取る。そして門扉本体１内に保持溝３ａを介して新たなパネルを止め具８に向けて押し込み、この止め具の位置保持溝８ａに上記新たなパネルの一端部を差し入れてから、引き続き止め具９を押し込み、位置保持溝９ａに上記パネルの他端部を差し入れ、
最後にパネル４ｃを押し込んで、所定位置に納めてから、再び止め具１０でパネル４ｃを固定することにより、交換作業が終了する。
【０００８】
門扉本体１の開閉方式は、引き戸方式に限定されない。また図１において、対の本体１を組み合わせた門扉の例について説明しているが、本体単独のものを連続させるものであっても良い。上記縦枠に対する保持体の配置位置として、図３に示すように縦枠２の前面にすることにより、パネル４の取付け取外しが容易となり、そして保持体３の構成が簡単になるが、縦枠２の背面でも良い。保持体３の形状として、平面Ｌ形の保持枠とすれば、保持体の構成が簡単となるが、平面コ字形などであっても良く、図示のものに限定されない。上段及び下段のパネル４ａ，４ｃを仮止めする仮止め手段として、図示するような位置保持溝７ａ，８ａ，９ａ，１０ａを有する止め具７，８，９，１０を用いれば、パネルを確実に位置保持できる利点があるが、仮止め手段はこの種のものに限定されない。止め具７，８，９，１０はカバー部７ｂ，８ｂ，９ｂ，１０ｂを設けることにより、パネル４ａ，４ｂ，４ｃの端部を覆うことができるので、外観が良くなる。中間の止め具８，９を配置することにより、パネル４ａ，４ｂ，４ｃの突合せ端部を保護することができるから、これらのパネルの耐久性を維持できる。必ずしも、中間の止め具８，９は、本考案に不可欠ではない。
【図面の簡単な説明】
【０００９】
【図１】本考案に係る仮設パネル門扉を示す一部切欠正面図であって、一部のパネルを外している図である。
【図２】本考案に係る仮設パネル門扉を示す分解図であって、固定具を省略している図である。
【図３】図１の拡大平面図であって、一部の固定具を省略している図である。
【図４】図１のＩＶ−ＩＶ線拡大断面図である。
【図５】門扉本体を示す拡大水平断面図である。
【図６】止め具、パネル及び横枠の関係を拡大して示し、下段のパネルを省略している斜視図である。
【図７】縦枠と横枠との結合状態を拡大して示す断面図である。
【図８】図１のＶＩＩＩ−ＶＩＩＩ線に沿う拡大断面図である。
【符号の説明】
【００１０】
１                        門扉本体
２                        縦枠
３                        保持枠（保持体）
３ａ                      保持溝
４，４ａ，４ｂ，４ｃ      パネル
５                        横枠
７，８，９，１０          止め具
７ａ，８ａ，９ａ，１０ａ  位置保持溝
７ｂ，８ｂ，９ｂ，１０ｂ  前立ち上がり部（カバー部）
８ｃ，９ｃ                後立ち上がり部
【図１】
0003126975.tif 000003
【図２】
0003126975.tif 000004
【図３】
0003126975.tif 000005
【図４】
0003126975.tif 000006
【図５】
0003126975.tif 000007
【図６】
0003126975.tif 000008
【図７】
0003126975.tif 000009
【図８】
0003126975.tif 000010